【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
共通の測位プロトコルを介してロケーション・サーバによってターゲット・デバイスについての測位情報を取得することであって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、取得することと、
前記ロケーション・サーバによって前記ターゲット・デバイスについてのロケーション情報を判断することと、
ここにおいて、前記測位情報が、少なくとも１つの基準ソースについての測定値を備え、前記ロケーション情報が、前記測定値に基づいて前記ロケーション・サーバによって判断された前記ターゲット・デバイスについてのロケーション推定値を備え、
ここにおいて、前記測位情報が、前記ターゲット・デバイスのロケーションを示し、前記ロケーション情報が、前記測位情報に基づいて前記ロケーション・サーバによって判断された支援データを備え、
ここにおいて、前記測位情報が、前記ターゲット・デバイスのロケーションにおいて受信され得る基準ソースの測定値を備え、前記ロケーション情報が、前記測位情報に基づいて前記ロケーション・サーバによって判断された支援データを備え、
ここにおいて、前記ロケーション情報が支援データを備え、前記測位情報が、前記支援データに基づいて取得された測定値を備え、
ここにおいて、前記ターゲット・デバイスについての前記測位情報が、少なくとも１つの衛星、又は少なくとも１つの基地局、又は少なくとも１つの端末、又は前記ターゲット・デバイス、又はそれらの組合せからの少なくとも１つの信号についての測定値を備える、
を備える方法。
【請求項２】
前記ロケーション・サーバがネットワーク・エンティティに属し、前記ロケーション・サーバが前記ターゲット・デバイスと共同設置される、請求項１に記載の方法。
【請求項３】
前記ターゲット・デバイスについての前記測位情報が、第２の複数の可能なエンティティのうちの１つに属する測位ユニットによって取得され、前記ターゲット・デバイスが、前記第２の複数の可能なエンティティのうちの１つであり、
好適には、前記共通の測位プロトコルを介して前記ロケーション・サーバによって前記測位ユニットと通信することをさらに備える、および／または、
前記共通の測位プロトコルを介して前記測位ユニットと、能力、又は支援データ、又はロケーション情報、又はそれらの組合せを交換することをさらに備える、請求項１に記載の方法。
【請求項４】
ワイヤレス通信のための装置であって、
共通の測位プロトコルを介してロケーション・サーバによってターゲット・デバイスについての測位情報を取得するための手段であって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、取得するための手段と、
前記ロケーション・サーバによって前記ターゲット・デバイスについてのロケーション情報を判断するための手段と、
ここにおいて、前記測位情報が、少なくとも１つの基準ソースについての測定値を備え、前記ロケーション情報が、前記測定値に基づいて前記ロケーション・サーバによって判断された前記ターゲット・デバイスについてのロケーション推定値を備え、
ここにおいて、前記測位情報が、前記ターゲット・デバイスのロケーションを示し、前記ロケーション情報が、前記測位情報に基づいて前記ロケーション・サーバによって判断された支援データを備え、
ここにおいて、前記測位情報が、前記ターゲット・デバイスのロケーションにおいて受信され得る基準ソースの測定値を備え、前記ロケーション情報が、前記測位情報に基づいて前記ロケーション・サーバによって判断された支援データを備え、
ここにおいて、前記ロケーション情報が支援データを備え、前記測位情報が、前記支援データに基づいて取得された測定値を備え、
ここにおいて、前記ターゲット・デバイスについての前記測位情報が、少なくとも１つの衛星、又は少なくとも１つの基地局、又は少なくとも１つの端末、又は前記ターゲット・デバイス、又はそれらの組合せからの少なくとも１つの信号についての測定値を備える、
を備える装置。
【請求項５】
ワイヤレス通信のための方法であって、
共通の測位プロトコルを介してターゲット・デバイスについての測位情報をロケーション・サーバに送ることであって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、送ることと、
前記ロケーション・サーバから前記ターゲット・デバイスについてのロケーション情報を受信することと、
ここにおいて、測位情報を前記送ることと、ロケーション情報を前記受信することとが、前記ターゲット・デバイスによって実行され、
ここにおいて、測位情報を前記送ることと、ロケーション情報を前記受信することとが、前記ターゲット・デバイスの外部の測位ユニットによって実行され、
前記ターゲット・デバイスについての測定値を取得するために、前記ターゲット・デバイスにおいて少なくとも１つの基準ソースからの少なくとも１つの信号を測定することであって、前記少なくとも１つの基準ソースが、少なくとも１つの衛星、又は少なくとも１つの基地局、又は少なくとも１つの端末、又はそれらの組合せを備え、前記測位情報が前記測定値を備える、測定することと、
前記ターゲット・デバイスについての測定値を取得するために、測位ユニットにおいて前記ターゲット・デバイスからの信号を測定することであって、前記測位ユニットが前記ターゲット・デバイスの外部にあり、前記測位情報が前記測定値を備える、測定することと、
を備える方法。
【請求項６】
ワイヤレス通信のための装置であって、
共通の測位プロトコルを介してターゲット・デバイスについての測位情報をロケーション・サーバに送るための手段であって、前記ロケーション・サーバが、複数の可能なエンティティのうちの１つに属し、前記ロケーション・サーバがどこに属するかにかかわらず、前記共通の測位プロトコルを使用し、前記ターゲット・デバイスが、前記複数の可能なエンティティのうちの１つである、送るための手段と、
前記ロケーション・サーバから前記ターゲット・デバイスについてのロケーション情報を受信するための手段と、
ここにおいて、測位情報は、測位をサポートするために使用される情報であり、
ここにおいて、ロケーション情報は、前記ターゲット・デバイスの前記ロケーションに関係する情報であり、
ここにおいて、測位情報を前記送ることと、ロケーション情報を前記受信することとが、前記ターゲット・デバイスによって実行され、
ここにおいて、測位情報を前記送ることと、ロケーション情報を前記受信することとが、前記ターゲット・デバイスの外部の測位ユニットによって実行され、
前記ターゲット・デバイスについての測定値を取得するために、前記ターゲット・デバイスにおいて少なくとも１つの基準ソースからの少なくとも１つの信号を測定するための手段であって、前記少なくとも１つの基準ソースが、少なくとも１つの衛星、又は少なくとも１つの基地局、又は少なくとも１つの端末、又はそれらの組合せを備え、前記測位情報が前記測定値を備える、測定するための手段と、
前記ターゲット・デバイスについての測定値を取得するために、測位ユニットにおいて前記ターゲット・デバイスからの信号を測定するための手段であって、前記測位ユニットが前記ターゲット・デバイスの外部にあり、前記測位情報が前記測定値を備える、測定するための手段と、
を備える装置。
【請求項７】
少なくとも一つのコンピュータに、請求項１乃至３または５に記載のステップを実行させるためのコードを備える、コンピュータ可読媒体。